(57)【特許請求の範囲】
【請求項１】
建築物の固定側部位に対して支持されながら開閉をなすカーテンについて、
前記カーテンの開閉は、カーテンの先端辺と前記カーテンの基端辺とが近い位置ある開状態と、前記カーテンの前記先端辺と前記基端辺とが遠い位置にある閉状態との間の移動をなすものであり、
前記カーテンの先端辺側を、半自動で移動させることにより、前記カーテンの開閉を行う開閉装置において、
長尺体を引き出すことによってゼンマイバネに力が蓄えられると共に蓄えられた前記力によって前記長尺体を巻き取るリールと、
前記カーテンと前記長尺体と連動させる連動部とを備え、
前記リールは、前記固定側部位に取り付けられ、
前記連動部は、前記カーテンの先端辺側を前記長尺体の動きに伴い移動させ、
前記カーテンを開と閉との何れか一方に移動させる際に、前記長尺体が前記リールから引き出されて前記ゼンマイバネに前記力が蓄えられ、
蓄えられた前記力によって前記長尺体が前記リールに巻き取られることによって、前記連動部を介して前記カーテンの先端辺側が開と閉との何れか他方に移動するように構成され、
前記固定側部位は、カーテンレールを含み、
前記カーテンは、カーテン布と複数のランナーとを備え、
前記ランナーは、前記カーテン布が取り付けられ、前記カーテンレールに荷重が支持された状態で前記カーテンレールに沿って移動するものであり、
前記ランナーは、前記長尺体の挿通部分を備え、
前記挿通部分に移動可能に通された前記長尺体が、前記カーテンレール内に配置されていることを特徴とするカーテンの開閉装置。
【請求項２】
前記カーテンは、横方向に開閉する横開きカーテンであり、
前記長尺体を移動可能な状態で往路と復路に折り返すための折り返し部を備え、
前記長尺体は、前記往路と前記復路とのいずれか一方が前記ランナーの前記挿通部分に通され、いずれか他方が前記ランナーの前記挿通部分に通されていないことを特徴とする請求項１に記載のカーテンの開閉装置。
【請求項３】
建築物の固定側部位に対して支持されながら開閉をなすカーテンについて、
前記カーテンの開閉は、カーテンの先端辺と前記カーテンの基端辺とが近い位置ある開状態と、前記カーテンの前記先端辺と前記基端辺とが遠い位置にある閉状態との間の移動をなすものであり、
前記カーテンの先端辺側を、半自動で移動させることにより、前記カーテンの開閉を行う開閉装置において、
長尺体を引き出すことによってゼンマイバネに力が蓄えられると共に蓄えられた前記力によって前記長尺体を巻き取るリールと、
前記カーテンと前記長尺体と連動させる連動部とを備え、
前記リールは、前記固定側部位に取り付けられ、
前記連動部は、前記カーテンの先端辺側を前記長尺体の動きに伴い移動させ、
前記カーテンを開と閉との何れか一方に移動させる際に、前記長尺体が前記リールから引き出されて前記ゼンマイバネに前記力が蓄えられ、
蓄えられた前記力によって前記長尺体が前記リールに巻き取られることによって、前記連動部を介して前記カーテンの先端辺側が開と閉との何れか他方に移動するように構成され、
前記連動部は、前記長尺体に取り付けられる長尺体側部材と、前記カーテンに取り付けられる複数のカーテン側部材とを備え、
前記カーテン側部材は、前記長尺体が摺動可能に通されると共に前記長尺体側部材に対しては摺動不能な挿通部を備え、
前記複数のカーテン側部材のそれぞれの前記挿通部に前記長尺体が通され、
前記複数のカーテン側部材の間に前記長尺体側部材が配置されたことを特徴とするカーテンの開閉装置。
【請求項４】
建築物の固定側部位に対して支持されながら開閉をなすカーテンについて、
前記カーテンの開閉は、カーテンの先端辺と前記カーテンの基端辺とが近い位置ある開状態と、前記カーテンの前記先端辺と前記基端辺とが遠い位置にある閉状態との間の移動をなすものであり、
前記カーテンの先端辺側を、半自動で移動させることにより、前記カーテンの開閉を行う開閉装置において、
長尺体を引き出すことによってゼンマイバネに力が蓄えられると共に蓄えられた前記力によって前記長尺体を巻き取るリールと、
前記カーテンと前記長尺体と連動させる連動部とを備え、
前記リールは、前記固定側部位に取り付けられ、
前記連動部は、前記カーテンの先端辺側を前記長尺体の動きに伴い移動させ、
前記カーテンを開と閉との何れか一方に移動させる際に、前記長尺体が前記リールから引き出されて前記ゼンマイバネに前記力が蓄えられ、
蓄えられた前記力によって前記長尺体が前記リールに巻き取られることによって、前記連動部を介して前記カーテンの先端辺側が開と閉との何れか他方に移動するように構成され、
前記リールは、前記カーテンの上下方向の中間位置における前記固定側部位に取り付けられ、
前記連動部は、前記カーテンの上下方向の中間位置に接続され、
前記長尺体の先端側に、カーテン側係合部が設けられ、
前記カーテン側係合部に着脱可能に接続されるリール側係合部が、前記リールに設けられ、
前記長尺体が前記リールに巻き取られることにより閉じた前記カーテンを、前記カーテン側係合部と前記リール側係合部とを着脱可能に接続することによって、束ねた状態に保持することができるように構成されたことを特徴とするカーテンの開閉装置。
【請求項５】
前記カーテンは、横方向に開閉する横開きカーテンであり、
前記長尺体を移動可能な状態で折り返すための折り返し部を備え、
前記長尺体の先端側を移動可能な状態で垂下させるガイド部を備え、
前記リールと前記ガイド部とは、前記カーテンの閉状態での前記基端辺付近の前記固定側部位に配置され、
前記折り返し部は、前記カーテンの閉状態での前記先端辺付近の前記固定側部位に配置され、
前記長尺体は、前記リールから前記折り返し部を経て前記ガイド部まで引き出されて、前記ガイド部から垂下するものであり、
前記長尺体の中間位置に、前記連動部が設けられ、
前記ガイド部から垂下した前記長尺体の先端側を引っ張ることによって、前記カーテンの先端辺側が前記カーテンの開状態の位置に移動し、
前記力によって前記長尺体が前記リールに巻き取られることによって、前記カーテンの先端辺側が前記カーテンの開状態の位置に移動するように構成されたことを特徴とする請求項１〜４の何れかに記載のカーテンの開閉装置。
【請求項６】
前記固定側部位は、カーテンレールを含み、
前記カーテンレールの一端に前記リールと前記ガイド部が配置され、前記カーテンレールの他端に前記折り返し部が配置され、
前記カーテンは、左右一対のカーテンの前記先端辺が互いに接近離反するようにして開閉するものであり、
前記長尺体には、前記リールから前記折り返し部までの区間である往路に往路の連動部が設けられ、前記折り返し部から前記ガイド部までの区間である復路に復路の連動部が設けられ、
前記往路と前記復路とのそれぞれの連動部は、前記一対のカーテンのそれぞれの前記カーテンの前記先端辺側を、前記長尺体と連動させるものであることを特徴とする請求項５に記載のカーテンの開閉装置。
【発明の詳細な説明】
【技術分野】
【０００１】
本発明は、カーテンの開閉装置に関するものである。
【背景技術】
【０００２】
カーテン、特に横方向に開閉するカーテンに関して、ゼンマイバネを用いたリールを適用することについて、特許文献１〜３に示す提案がなされている。
特許文献１は、合成樹脂製フィルムの基端が収納箱内の巻取軸に固着されて収納箱内に巻込収納可能となされているシャワーカーテンを開示するものである。この特許文献１の提案は、カーテン全体が収納箱内に巻き取られるようにしたものであり、通常のカーテンの開閉に適用することが困難である。
【０００３】
特許文献２は、窓、掃き出しなどの開口部に備え付けられるカーテンの括り付けに用いられる括り付け具であって、この括り付け具が、カーテンの括り付けに用いられる括りバンドと、この括りバンドを引き出し・巻き込み可能に巻装する回転巻装具とを備えているカーテンの括り付け具を開示するものである。この特許文献２の提案は、カーテンを括り付ける手段に関する改良であり、カーテン自体の開閉に関するものではない。
【０００４】
特許文献３は、リールをつり下げるためのフックを、カーテンを吊り下げるランナーに掛けて、リールから出ている長尺体を引き出して、カーテンの先端辺側の上端に接続してセットし、目覚し時計のアラームが鳴ると音センサーが感知してリールが作動し長尺体を巻き取ることによって、カーテンが開くようにした開き装置を開示する。この開き装置は、閉じたカーテンに対して、上記の要領でセットされるものである。そのため、開いたカーテンに対してこの装置を取り付けた状態にしておき、カーテンを開くことは、極めて困難である。より具体的には、この開き装置は、人の背よりも高いカーテンの上端のランナーに、リールを吊り下げるものであり、長尺体の引き出しが安定して行うことができず、また、長尺体の先端をカーテンの先端辺側の上端に取り付けるものである。そのため、長尺体の先端をカーテンの先端辺側の上端に取り付けた状態で、カーテンを引っ張り開くように動かすことは、実際上不可能である。また、カーテンの上端に取り付けた長尺体を持って引っ張ればカーテンと共に長尺体も引き出すことはできるが、人の背よりも高いカーテンの上端のランナーにリールを吊り下げるものであるため、手を上に高く伸ばしてカーテンを閉じる動作を行う必要があると共に、リールから長尺体をスムーズに引き出すことが困難である。
【先行技術文献】
【特許文献】
【０００５】
【特許文献１】特開平７−２８９４１７号公報
【特許文献２】特開平９−２５２９２９号公報
【特許文献３】実開平７−３６８７１号公報
【発明の概要】
【発明が解決しようとする課題】
【０００６】
本発明は、カーテンに取り付けた状態のままで使い続けることができ、ゼンマイバネを用いたリールによって、カーテンの開閉を半自動で行うことができるようにしたカーテンの開閉装置の提供を課題とする。
また、本発明は、ゼンマイバネを用いたリールによって半自動で行うことができるようにしたカーテンの開閉装置であって、カーテンを人の力で動かして開閉する際に、無理な姿勢を取る必要がないようにすることを課題とする。
【課題を解決するための手段】
【０００７】
本発明は、建築物の固定側部位に対して開閉移動するカーテンについて、前記カーテンの先端辺と前記カーテンの基端辺とが近い位置ある開状態と、前記先端辺と前記基端辺とが遠い位置に移動にある閉状態とを、前記カーテンの先端辺側を、半自動で移動させることにより、カーテンの開閉を行う開閉装置において、次の手段を備えたものを提供することにより、上記の課題を解決する。
【０００８】
本発明にあっては、長尺体を引き出すことによってゼンマイバネに力が蓄えられると共に蓄えられた前記力によって前記長尺体を巻き取るリールと、前記長尺体に設けられた連動部とを備え、前記リールは、前記固定側部位に固定される。前記連動部は、前記カーテンの先端辺側に接続され、前記カーテンを開と閉との何れか一方に移動させる際に、前記長尺体が前記リールから引き出されて前記ゼンマイバネに前記力が蓄えられ、蓄えられた前記力によって前記長尺体が前記リールに巻き取られることによって、前記カーテンの先端辺側が開と閉との何れか他方に移動するように構成されたことを特徴とするカーテンの開閉装置を提供する。
【０００９】
前記カーテンは、横方向に開閉する横開きカーテンであり、前記長尺体を移動可能な状態で折り返すための折り返し部を備え、前記長尺体の先端側を移動可能な状態で垂下させるガイド部を備え、前記リールと前記ガイド部とは、前記カーテンの閉状態での前記基端辺の側における前記固定側部位に配置され、前記折り返し部は、前記カーテンの閉状態での前記先端辺の側における前記固定側部位に配置され、前記長尺体は、前記リールから前記折り返し部を経て前記ガイド部まで引き出されて、前記ガイド部から垂下するものであり、前記長尺体の中間位置に、前記連動部が設けられ、前記ガイド部から垂下した前記長尺体の先端側を引っ張ることによって、前記カーテンの先端辺の側が前記カーテンの開状態の位置に移動し、前記力によって前記長尺体が前記リールに巻き取られることによって、前記カーテンの先端辺の側が前記カーテンの開状態の位置に移動するように構成されたものとして実施することができる。
【００１０】
これによって、カーテンを人が開閉する動作を、長尺体を引くだけで行うことができ、カーテンを持って人が腕を大きく動かしたり歩いたりする必要がない。
前記カーテンは、前記カーテンは、左右一対のカーテンの前記先端辺が互いに接近離反するようにして開閉するものであり、前記長尺体には、前記リールから前記折り返し部までの区間である往路に往路の連動部が設けられ、前記折り返し部から前記ガイド部までの区間である復路に復路の連動部が設けられ、前記往路の連動部は、前記一対のカーテンのうち一方のカーテンの前記先端辺側に接続され、前記復路の連動部は、前記一対のカーテンのうち他方のカーテンの前記先端辺側に接続されたものとすることもできる。
【００１１】
これによって、単一の装置によって、左右のカーテンを一度に操作することができる。
前記長尺体は、前記リールから引き出した状態より、さらに余剰長さを引き出して手を放すことによって、前記リールに巻き取られるものであり、前記折り返し部は、前記カーテンが閉状態での前記カーテンの先端辺よりも余剰長さ以上先端側に配置されたものと実施することもできる。
【００１２】
これによって、巻き取り操作が簡単なリールを、本発明に適用できるものである。
また、前記固定側部位は、前記カーテンレールを含み、前記カーテンは、カーテン布と、前記カーテン布に取り付けられて前記カーテンレールに沿って移動するランナーとを備え、前記リールと前記折り返し部とが前記カーテンレールに取り付けられ、前記ガイド部は、前記リールに備えられたものとして実施することができる。
【００１３】
これによって、カーテンレールを介して本発明の開閉装置を固定することができ、一目に着きにくく、また、壁面などにネジなどを立てる必要がない。
さらにまた、前記長尺体を前記カーテンレール内に配置することによって、長尺体を目立たなくすることができ、しかも、カーテンレールと一体にした状態で製品化することによって、使用者は一般のカーテンレールの取り付けと同じ手間で本発明の開閉装置を用いることができる。
【００１４】
また、本発明の開閉装置は、前記カーテンが横方向に開閉する横開きカーテンであり、前記長尺体の先端に把持部が設けられ、前記把持部を持って、前記長尺体を引き出すことにより、前記カーテンを閉じることができるように構成することもできる。
これによって、人が手でカーテンを引いて開閉する代わりに、長尺体の先端の把持部を持って開閉操作をすることができる。
【００１５】
前記取付部は、前記カーテンの上下方向の中間位置における前記固定側部位に取り付けられ、前記連動部は、前記カーテンの上下方向の中間位置に接続されたものとすることもできる。
そして、前記長尺体の先端に、カーテン側係合部が設けられ、前記カーテン側係合部に着脱可能に接続されるリール側係合部が、前記リールに設けられ、前記前記長尺体が前記リールに巻き取られることにより閉じた前記カーテンを、前記カーテン側係合部と前記リール側係合部とを着脱可能に接続することによって、束ねた状態に保持することができるように構成することもできる。これによって、カーテンを束ねる手段を別個に用いずとも、カーテンを束ねることができる開閉装置を提供することができたものである。
【００１６】
また、本発明は、前記連動部を次のように構成することもできる。この連動部にあっては、前記長尺体に取り付けられる長尺体側部材と、前記カーテンに取り付けられる複数のカーテン側部材とを備える。前記カーテン側部材は、前記長尺体が摺動可能に通されると共に前記長尺体側部材に対しては摺動不能な挿通部を備える。そして、前記複数のカーテン側部材のそれぞれの前記挿通部に前記長尺体が通され、前記複数のカーテン側部材の間に前記長尺体側部材が配置されたものとする。これによって、前記リールが前記長尺体を余剰長さを引き出して手を放すことによって巻き取るものであっても、前記長尺体側部材が、その両側に配置される前記カーテン側部材の間を移動することができる。その結果、前記余剰長さを吸収して、前記カーテンの開閉動作をなすことができる。
【発明の効果】
【００１７】
本発明は、カーテンに取り付けた状態のままで使い続けることができ、ゼンマイバネを用いたリールによってカーテンの開閉を半自動で行うことができるようにしたカーテンの開閉装置を提供することができたものである。
また、本発明は、ゼンマイバネを用いたリールによって半自動で行うことができるようにしたカーテンの開閉装置であって、カーテンを人の力で動かして開閉する際に、無理な姿勢を取る必要がないものを提供することができたものである。
【図面の簡単な説明】
【００１８】
【図１】本発明の第１の実施の形態に係るカーテン開閉装置の構造の概要を示すもので、（Ａ）はカーテンの半開状態の正面図、（Ｂ）はカーテンの全閉状態の正面図、（Ｃ）はカーテンを開く状態の正面図、（Ｄ）はカーテンの全開状態の正面図である。
【図２】同カーテンの開閉装置の斜視図である。
【図３】同カーテンの開閉装置の正面図である。
【図４】本発明の第２の実施の形態に係るカーテン開閉装置の構造の概要を示すもので、（Ａ）はカーテンの半開状態の正面図、（Ｂ）は同平面図、（Ｃ）はカーテンの全閉状態の平面図、（Ｄ）はカーテンを開く状態の平面図、（Ｅ）はカーテンの全開状態の平面図、（Ｆ）はカーテンを開く状態の変形例を示す平面図である。
【図５】同カーテンの開閉装置の斜視図である。
【図６】同カーテンの開閉装置の正面図である。
【図７】本発明の第３の実施の形態に係るカーテン開閉装置の構造の概要を示すもので、（Ａ）はカーテンの半開状態の正面図、（Ｂ）はカーテンの全開状態の正面図、（Ｃ）はカーテンを束ねた状態の要部拡大正面図である。
【図８】同カーテンの開閉装置の斜視図である。
【図９】同カーテンの開閉装置の正面図である。
【図１０】本発明の第４の実施の形態に係るカーテン開閉装置の要部を示すもので、カーテンレールに直交した切断面における断面図である。
【図１１】同カーテン開閉装置の要部を示すもので、カーテンレールの長手方向に沿う切断面における断面図である。
【発明を実施するための形態】
【００１９】
以下、図面に基づき本発明の実施の形態を説明する。
【００２０】
（第１の実施の形態の概要）
第１の実施の形態を図１〜図３を参照して説明する。
この実施の形態に係るカーテン開閉装置は、半自動にてカーテン１１の開閉を行う。
固定側部位１３は、動くカーテン１１に対して固定状態を維持する部位であり、室内の窓辺の壁面などの建造物と、建造物に固定されているカーテンレール１４などの取り付け部材とを含む。カーテン１１は、カーテン布１６と、カーテン布１６を吊り下げてカーテンレール１４に沿って走行するランナー１５(図３に図示)とを備える。
【００２１】
カーテンレール１４は、通常は窓辺の上辺に沿って固定されるが、技術的にはこれに限定して理解する必要はなく、窓のない壁面にも用いることができる。この図では、カーテン１１の基端辺が左辺、先端辺が右辺となり、右辺（基端辺）が右に移動してカーテン１１が閉じて、左に移動してカーテン１１が開く。
【００２２】
カーテン開閉装置は、紐や糸やベルトなどの長尺体２２を、内蔵されたゼンマイバネ（図示せず）の作用で巻き取るリール２１を備え、長尺体２２に設けられた連動部２３をカーテン１１に取り付けて、カーテン１１を半自動で開閉する装置である。図１の例では、人がカーテン１１を閉じる際には、長尺体２２の自由端を引き下げる。その際、引き下げ易いように、把持部２６を長尺体２２の自由端に設けることも好ましい。この長尺体２２の引き出しによって、連動部２３が移動して、カーテン１１を閉じる。
【００２３】
カーテン１１を開く際には、蓄えられたゼンマイバネの力によって、長尺体２２を巻き取る。これによって、長尺体２２に設けられた連動部２３が、カーテン１１を移動させて、カーテン１１が開く。
このように、カーテン開閉装置は、カーテン１１を開と閉との何れか一方に人の力で移動させ、その逆（閉と開）へはゼンマイバネの力でカーテン１１を移動させるものであり、半自動でカーテン１１を開閉するものである。
【００２４】
（配置構造）
図１を参照しつつ、カーテン開閉装置の具体的な配置構造を説明する。
まず図１（Ａ）に示すように、左右方向に伸びるカーテンレール１４の一端側（この例では左端側）に、リール２１が取り付けられる。リール２１には長尺体２２が一部巻き取られており、長尺体２２の自由端（先端）側は外部に引き出されている。この引き出された長尺体２２は、カーテンレール１４の中程よりも少し右端寄りに配置された折り返し部２５にて折り返し、左端まで戻る。左端には、ガイド部２４が配置され、このガイド部２４によって、長尺体２２は水平状態から垂直状態となって垂下している。長尺体２２の自由端（下端）には、把持部２６が設けられている。
【００２５】
折り返し部２５やガイド部２４の方向転換箇所には、抵抗を少なくするために滑車やローラーなどの回転子を用いることが望ましいが、回転しなくとも滑り性の良いものであれば折り返し部２５やガイド部２４として用いることもできる。また、リール２１、折り返し部２５及びガイド部２４は、壁面などに固定してもよいが、カーテンレール１４に設けることが適当であり、特にカーテンレール１４の上に載せるようにして取り付けることが適切である。ガイド部２４は、リール２１と一体に形成しておくことによって、実際の取り付けは、リール２１と折り返し部２５との２つの部材を取り付ければ足りるようにしておくことが望ましい。また、リール２１と折り返し部２５とを板材などに予め固定しておき、板材ごとカーテンレール１４に取り付けるようにしてもよい。さらにカーテンレール１４以外に、カーテンボックスに取り付けるようにしてもよい。
【００２６】
（連動部について）
長尺体２２の往路（リール２１と折り返し部２５との間）には、連動部２３が設けられている。この連動部２３は、カーテン１１の先端辺（図１では右端辺）の上部に取り付けられることによって、カーテン１１の先端辺を長尺体２２に固定する。連動部２３としては、クリップ状の構造を備えたものを用いることができ、開閉するクリップの挟持部分でカーテン布１６の上端を摘んで固定するようなものを例示し得る。また、長尺体２２に固定された紐を連動部２３として用いることもでき、この紐をランナー１５のリングなどに通して結びつけるものであってもよい。また、開閉するリングを連動部２３として用いてもよい。いずれにしても、連動部２３は、カーテン１１の先端辺を、長尺体２２に動かないように固定することができるものであればよいが、カーテン１１（特にカーテン布１６）の洗濯や交換などを考えた場合には、着脱可能にカーテン１１に固定できるものが適当である。なお、連動部２３は、カーテン布１６に接続されるものであってもよく、ランナー１５に接続されるものであってもよい。
【００２７】
なお、図１の例では、往路を復路の下側に配置されるように、リール２１と折り返し部２５との回動軸を略水平に配置した状態で描いているが、両者の少なくとも何れか一方の回動軸が略垂直になるように配置してもよい。
図示はしないが、カーテンレール１４の右側には右のカーテンが配置されている。右のカーテンにもカーテン開閉装置を設けることもできる他、右のカーテンにはカーテン開閉装置を設けずに実施することもできる。或いは、左右一対のカーテンを用いるのではなく、カーテンレール１４について１枚のカーテンのみを用いるものであってもよい。
【００２８】
（図１（Ａ）の状態）
図１（Ａ）の状態は、カーテン１１を半分程度閉じた状態であり、連動部２３はカーテン１１の右端辺の上部に取り付けられている。
カーテン１１は、完全に開かれた状態（カーテンレール１４の左端側に寄せられた図１（Ｄ）の状態）から、半分程度閉じた状態になったものであり、完全に開かれた状態では連動部２３は左端寄りに位置している。そして、人が手で長尺体２２の自由端（把持部２６）を引き下げることで、長尺体２２がリール２１から繰り出されると共に連動部２３が右に移動し、連動部２３を介して接続されたカーテン１１が閉じられていく。カーテン１１を適宜位置まで閉じた状態で、人が把持部２６からゆっくりと手を放すことで、リール２１は少しだけ長尺体２２を巻き取った状態でロックされ、カーテン１１を半開きの状態とすることができる。
【００２９】
（図１（Ｂ）の状態）
図１（Ｂ）は、カーテン１１が完全に閉じられた状態を示すもので、カーテン１１の右端はカーテンレール１４の略中央まで移動し、その分、長尺体２２も引き出されている。この状態にてカーテン１１を停止させるのも上記と同様であり、長尺体２２を引っ張り出した状態（図１（Ｃ）の状態）で人が把持部２６からゆっくりと手を放すことで、リール２１は少しだけ長尺体２２を巻き取った状態でロックされ、カーテン１１を全閉状態（図１（Ｂ）の状態）とすることができる。
【００３０】
（図１（Ｃ）の状態）
図１（Ｃ）は、カーテン１１を開くための状態を示したものである。リール２１には、長尺体２２の巻き取りに際して、長尺体２２を余剰長さ分だけ少し引き出して手を離すことによって、長尺体２２が自動的に巻き込まれるように構成されたものが周知であり（特許第４５９０開口部開口部１連動部２３号、特開昭５３−６６５８３号、実公昭６２−４３９７３号、実公平４−ゼンマイバネ８６０号等）、本実施の形態にあっても、これと同様の構造を備えたものを用いる。
【００３１】
具体的には、ドラムに取り付けられたストップレバーの被案内部が、ケースに設けた案内溝によって案内されつつ摺動することにより、ドラムの回転、停止、逆回転がなされるように構成されたものである。
より具体的には、長尺体２２を巻回するドラムがケース内に回動自在に取り付けられるとともに、このドラムをゼンマイバネによって、長尺体２２の巻取り方向に付勢するようにしたものであり、ゼンマイバネに抗して引き出された長尺体２２を、ゼンマイバネの作用によって自動的に巻き込むようにしたものである。その際、長尺体２２を引き出した後、ゆっくりと手を離す（言い換えれば、長尺体２２を持ったまま、その引っ張りをやめる）。すると、ゼンマイバネによって長尺体２２が少し巻き込まれた後、ロックされ、その長さに停止する。一方、巻き取りに際しては、長尺体２２を余剰長さ分だけ、少し引き出す。そして手を離すことによって、長尺体２２が自動的に巻き込まれるように設計されている。従って、長尺体２２をリール２１によって巻き取るためには、全閉状態の図１（Ｂ）よりも余剰長さ（具体的には5〜10ｃｍ程度）分だけ、長尺体２２を余分に引き出す必要がある。図１（Ｃ）はこの状態を示したものであり、折り返し部２５は、余剰長さ以上、左側に配置されている。
【００３２】
なお、リール２１と折り返し部２５との距離は、カーテン１１の開閉予定長さに余剰長さを加えた距離よりも長く設定すればよく、カーテンレール１４の全長に及ぶものであっても差し支えない。
これにより、人が長尺体２２の把持部２６を引っ張り、リール２１から長尺体２２を少し（余剰長さ分）引き出すことができる（図１（Ｃ）の小矢印）。そして、引き出した直後に、把持部２６から手を放すことで、リール２１に長尺体２２が巻き取られていき、連動部２３がカーテンレール１４の左端まで移動して、カーテン１１を全開状態とする。
【００３３】
（動作のまとめ）
以上、この例のカーテン開閉装置は、長尺体２２の自由端を人が引っ張ることでカーテン１１を閉じることができ、人がカーテン１１を持って引っ張る動作をしなくとも、長尺体２２に設けられた連動部２３に引っ張られるようにしてカーテン１１は閉じていく。そして、長尺体２２を引っ張った後にゆっくりと手を放すことで、長尺体２２が僅かにリール２１に巻き取られた後に、リール２１の回転がロックされて、長尺体２２が停止し、カーテン１１を好みの位置まで開いた状態とすることができる。カーテン１１を閉じるには、余剰長さ分だけ長尺体２２を引っ張った直後に手を放すと、リール２１に長尺体２２が巻き取られていき、連動部２３がカーテンレール１４の左端まで移動して、カーテン１１を全開状態とする。これにより、カーテン１１を直接触らなくてもカーテン１１の開閉が可能であり、半自動でカーテン１１を開閉するものである。
【００３４】
なお、上記の説明では、カーテン１１を開く際にリール２１のゼンマイバネに蓄えられた力を利用したが、逆に、カーテン１１を閉じる際にリール２１のゼンマイバネに蓄えられた力を利用することもできる。その際、リール２１と折り返し部２５との左右位置を入れ換えるようにしてもよいが、リール２１と折り返し部２５との位置は図１のままで、復路に連動部２３を設けるようにするだけで、カーテン１１を閉じる際にリール２１のゼンマイバネに蓄えられた力を利用することができるようになる。具体的には、図１（Ｄ）の状態（リール２１が長尺体２２を巻き取った状態）で、カーテン１１を全閉状態とし、その右辺側に連動部２３を接続する。この連動部２３は復路のリール２１の右端の折り返し部２５寄りの位置に設けるものとする。
【００３５】
（第１の実施の形態に係る具体例）
図２及び図３は、図１の例をより具体的に示すものであり、図１にて説明していない部分を中心に説明する。この例では、カーテンレール１４が前後に２本配置されており、厚布のカーテンとレースのカーテンなど、それぞれに異なる種類のカーテン１１が吊り下げられる。カーテンレール１４は、左右と中央との取り付け金具１７によって壁面等に固定される。
【００３６】
この例では、折り返し部２５は、前後のカーテンレール１４の上に渡されており、折り返し部２５の前後の両端がそれぞれのカーテンレール１４に支持されている。また、この例では、長尺体２２の往路と復路とが前後並べて配置されており、これに対応して、折り返し部２５には２個の折り返し用ローラ２９が前後に配置されており、長尺体２２は、前の折り返し用ローラ２９にて９０度方向を変更し、次に、後の折り返し用ローラ２９にて９０度方向を変更することで、挿通部分１８０度の方向転換がなされる。
【００３７】
リール２１は、固定板２７の上に設けられ、この固定板２７が前後のカーテンレール１４の上に渡されることで、リール２１がカーテンレール１４に安定した状態に固定されている。また、長尺体２２が摺動する際に、リール２１やガイド部２４に対しては、これらが浮き上がるように力が加わるが、それに対抗するために押さえ板２８を設けておき、安定した状態で固定板２７及びカーテンレール１４に固定されるようにすることも好ましい。
【００３８】
連動部２３には、紐の下端にクリップが設けられ、紐の上端が長尺体２２に固定されたものが用いられている。このクリップがカーテン１１（ランナー１５又はカーテン布１６）が取り付けられて、カーテン１１と長尺体２２とが連結される。
【００３９】
（第２の実施の形態の概要）
次に、図４に基づき第２の実施の形態について説明する。
第１の実施の形態では一つのカーテン開閉装置で一つのカーテン１１を開閉する例を示したが、第２の実施の形態では左右一対のカーテン１１を１つのカーテン開閉装置で同時に開閉するようにしたものである。
なお、この第２の実施の形態は、第１の実施の形態を一部変更したものであり、同じ構成については同じ符号を付してその詳細な説明を省略する。
【００４０】
（主たる変更点）
この第２の実施の形態では、カーテンレール１４の略全長に渡ってカーテン開閉装置が配置されたもので、左端にリール２１及びガイド部２４を配置し、右端に折り返し部２５を配置したものである。なお、この左右位置は変更可能である。
【００４１】
また、長尺体２２の往路と復路は横方向に並べて配置されており、リール２１と折り返し部２５とは滑車の回転軸が略垂直となるように配置されている。そして、この長尺体２２の往路と復路のそれぞれに連動部２３が設けられ、往路の連動部２３は左側のカーテン１１の右辺側に接続され、復路の連動部２３は右側のカーテン１１の左辺側に接続されている。
【００４２】
（動作について）
カーテン１１の開閉動作は、第１の実施の形態と実質的に同一である。特に、左側のカーテン１１については同じ動きをする。
図４（Ａ）と（Ｂ）とが、図１の（Ａ）に対応するものであり、カーテン１１が半開きの状態を示したものである。なお、この例では、横方向（前後方向）に長尺体２２の往路と復路とを配置したため、正面図を図４（Ａ）に示し、平面図を図４（Ｂ）に示したものである。図４（Ｃ）〜（Ｆ）は平面図であり、太い矢印にてカーテン１１の状態を示す。
【００４３】
図４（Ｃ）は図１（Ｂ）の状態に対応し、図４（Ｄ）は図１（Ｃ）の状態に対応し、図４（Ｅ）は図１（Ｄ）の状態に対応する。
右側のカーテン１１については、長尺体２２の往路と復路とが変更されている点が異なるだけで、右側のカーテン１１と左右対称の動きをなす。具体的には、右側のカーテン１１については、全開状態でカーテン１１は右端の折り返し部２５寄りに位置しており、カーテン１１の左辺側（先端辺側）に、復路に設けられた連動部２３が接続されている。そして、長尺体２２の把持部２６を引っ張ることで、往路と復路の連動部２３同士が共に移動して接近し合い、左右のカーテン１１が閉まる。
【００４４】
なお、前述のとおり、リール２１は、長尺体２２を少し（余剰長さ）引き出し、その分が後退して停止する。そのため、図４（Ｃ）に示すように、左右のカーテン１１のランナー１５（図６に図示）同士が中央でぶつかった状態で停止すると、連動部２３同士は互いに後退して、左右のカーテン１１同士の間に僅かに隙間ができてしまうおそれがある。そこで、連動部２３をゴム紐やコイルスプリングなどの伸縮可能な部分を備えたものとすることにより、左右のカーテン１１のランナー１５同士が中央でぶつかった状態でも、長尺体２２を余剰長さ分引き出すことができる（図４（Ｄ）参照）。また、後述の図８、図９で示す例を採用することもできる。
【００４５】
また、図４（Ｆ）に示すように、カーテンレール１４を、左右のカーテン１１毎に別々にすることで、ランナー１５同士の干渉を避けるようにしてもよい。
なお、この例にあっても、リール２１のゼンマイバネの力によって、カーテン１１の開くのではなく、閉じるように構成することも可能である。
【００４６】
（第２の実施の形態に係る具体例）
図５及び図６は、図４の例をより具体的に示すものであり、図４にて説明していない部分を中心に説明する。この例でも、カーテンレール１４が前後に２本配置されており、厚布のカーテンとレースのカーテンなど、それぞれに異なる種類のカーテン１１が吊り下げられる。カーテンレール１４は、左右と中央との取り付け金具１７によって壁面等に固定される。
【００４７】
この例でも、折り返し部２５は、前後のカーテンレール１４の上に渡されており、折り返し部２５の前後の両端がそれぞれのカーテンレール１４に支持されている。この例では、折り返し部２５には２個の折り返し用ローラ２９が上下に配置されており、上下で挿通部分１８０度の方向転換がなされるようにしているが、先の例のように、前後にて長尺体２２往路と復路とが方向転換を図るようにしてもよい。
【００４８】
リール２１は、固定板２７の上に設けられ、押さえ板２８も設けられている。
連動部２３は、往路と復路の長尺体２２のそれぞれに設けられており、紐の上端が長尺体２２に固定され、紐の下端のクリップが左右のカーテン１１（ランナー１５又はカーテン布１６）が取り付けられる。
【００４９】
（第３の実施の形態の概要）
先の２つ実施の形態では、折り返し部２５やガイド部２４を用いて、人の手でカーテン１１を開または閉にする際に、長尺体２２の自由端（把持部２６）を下に引っ張ることで行うことができる例を示したが、この実施の形態では、折り返し部２５やガイド部２４を用いず、人の手でカーテン１１を開または閉にする際に、通常のカーテンを開閉する要領で、左右に動かしてカーテン１１を開または閉にするものである。
【００５０】
また、先の２つ実施の形態では、カーテン開閉装置をカーテン１１の上部に設けたが、この例では、カーテン開閉装置をカーテン１１の上下方向の中間位置に設ける。
なお、この第３の実施の形態でも、先の実施の形態と実質的に同じ構成については同じ符号を付してその詳細な説明を省略する。
【００５１】
（第３の実施の形態の特徴的な構成）
この実施の形態では、リール２１は、カーテン１１の上下方向の中間位置における固定側部位１３（例えば窓際の壁面）に固定する。固定の方法は特に限定はなく、ネジや釘や両面テープなどを用いることができる。
【００５２】
長尺体２２の自由端には、連動部２３が取り付けられる。この連動部２３は先の例と同様にクリップ状のものなどが採用でき、カーテン１１の上下方向の中間位置に接続される。この長尺体２２やリール２１を設ける中間位置は、人が手で持ちやすい位置であって、屈まずとも手が届く範囲とすることが望ましい。
【００５３】
また、この長尺体２２の自由端には、連動部２３と共に、把持部２６が設けられる。連動部２３と把持部２６とは別々に設けることもできるが、一体に形成することもできる。
そして、カーテン１１を閉じる際には、把持部２６を持って横に人が引っ張ることで、リール２１から連動部２３が繰り出されると共にゼンマイバネに力が蓄えられる。図７（Ａ）はカーテン１１を半開きとした状態を示すもので、先の例の図１（Ａ）や図４（Ａ）（Ｂ）に対応する。カーテン１１の開閉に際してのリール２１の働き自体は、先の例と同様であり、長尺体２２を引っ張った状態でゆっくりと手を放すことで、リール２１は少しだけ長尺体２２を巻き取った状態でロックされて固定され、余剰長さ分を引っ張った直後に手を放すことで、長尺体２２を完全に巻き取り、カーテン１１を全開状態とする。先の例と異なるのは、把持部２６を引っぱる人の手の動きで、カーテン１１が略直接引っ張られる状態となって、人の手でカーテンを閉めるのと同じ要領となる点である。
【００５４】
図７（Ｂ）は、リール２１のゼンマイバネの力でカーテン１１を全開とした状態を示したものである。この状態から、カーテン１１を窓際に束ねるために、この実施の形態では、カーテン側係合部３１が長尺体２２の自由端に設けられており、このカーテン側係合部３１と着脱可能に接続されるリール側係合部３２をリール２１に設けている。
【００５５】
このカーテン側係合部３１は把持部２６と別個の部材として実施することも可能であるが、この例では、カーテン側係合部３１と把持部２６とを一つの部材で共用する。具体的には、リング状部品を把持部２６兼カーテン側係合部３１として実施することによって、人が引っ張る際には、リング状部品である把持部２６を持って引っ張ることができ、リール側係合部３２をフック状のものとすることで、このリール側係合部３２にリング状部品であるカーテン側係合部３１を引っかけることで着脱可能に接続することもできる（図７（Ｃ）参照）。
【００５６】
その他、カーテン側係合部３１とリール側係合部３２とは着脱可能に接続されるものであればよく、例えば、フックと環状のベルトなどであってもよく、磁石などの磁力を用いた接続であってもよい。
図７では、右側のカーテン１１を図示していないが、左右のカーテン１１のそれぞれにこの第３の実施の形態のカーテン開閉装置を採用することができる。その際、連動部２３、把持部２６又はカーテン側係合部３１に磁石などの磁力を用いた接続部材を設けておき、左右のカーテン１１を閉じた状態で互いに止着することができるようにしてもよい。
【００５７】
（第３の実施の形態に係る具体例）
図８及び図９は、図７の例をより具体的に示すものであり、図７にて説明していない部分を中心に説明する。
この例では、連動部２３が、１つの長尺体側部材３３と２つのカーテン側部材３４とから構成されている。
【００５８】
長尺体側部材３３は、長尺体２２に固定されており、長尺体２２と共に移動する。
カーテン側部材３４のそれぞれは、挿通部３５と接続部３６とを備える。挿通部３５は、長尺体２２を摺動可能に通すことができるリング状などの形状をなす。このリング状の挿通部３５は長尺体側部材３３よりも小さく形成されている。その結果、長尺体２２が移動しても挿通部３５は移動しないが、長尺体２２に固定された長尺体側部材３３に押されるようにして、長尺体側部材３３と共に挿通部３５は移動する。接続部３６は、クリップ状などのカーテン１１に着脱可能に固定されるものであるが、逢着などで挿通部３５をカーテン１１に着脱不能に固定するものであってもよい。このように、リール側係合部３２つのカーテン側部材３４はカーテン１１に間隔を置いて固定され、その間に長尺体側部材３３が配置されるようにして、長尺体２２が通される。
【００５９】
これによって、人が手で把持部２６を左から右に引っ張って、長尺体２２を引き出しながらカーテン１１閉じる際には、リール２１から遠い側（この例では右側）のカーテン側部材３４を長尺体側部材３３が押すようにして、カーテン１１の先端辺側を移動させる。そして、引き出しが終わって把持部２６からゆっくりと手を放すと、前述のように、長尺体２２は余剰長さが巻き戻されて停止する。その際、長尺体側部材３３は、カーテン側部材３４の挿通部３５に対して摺動可能であるため、カーテン側部材３４を動かすことなく（摩擦抵抗で少しは動くことはあっても基本的には自由状態で）、長尺体側部材３３のみが長尺体２２の動きに伴って左に移動する。これによって、カーテン１１は閉じた状態を維持することができる。
【００６０】
次に、カーテン１１を開く際には、前述と同様、把持部２６を余剰長さ以上引き出して、急に手を放すことで、カーテン１１がリール２１に巻き取られる。その際、カーテン１１に固定された長尺体側部材３３は、リール２１に近い側（この例では左側）のカーテン側部材３４を押すようにして、移動することより、カーテン１１が閉じられる。
【００６１】
なお、図では、左右のカーテン側部材３４の間を大きく図示しているが、余剰長さ分程度の間隔程度があればよい。
この構造は、前述の第１や第２の実施の形態においても適用することができる。その際、カーテン１１の先端辺に１つのカーテン側部材３４を接続し、その近くの位置にもう１つのカーテン側部材３４を接続すればよい。接続部３６の接続はランナー１５でもカーテン布１６でもよいが、ランナー１５に取り付ける場合には、カーテン１１の先端辺のランナー１５と、これに隣り合うランナー１５とに、接続部３６（カーテン側部材３４）を接続するようにすることが最も好ましく、このようにして実施すれば、前述のように連動部２３にゴム紐やコイルスプリングなどの伸縮可能な部分を備えたものとせずとも、リール２１の停止に必要な余剰長さを吸収することができる。
【００６２】
（第３の実施の形態の概要）
先の２つ実施の形態では、折り返し部２５やガイド部２４を用いて、人の手でカーテン１１を開または閉にする際に、長尺体２２の自由端（把持部２６）を下に引っ張ることで行うことができる例を示したが、この実施の形態では、折り返し部２５やガイド部２４を用いず、人の手でカーテン１１を開または閉にする際に、通常のカーテンを開閉する要領で、左右に動かしてカーテン１１を開または閉にするものである。
【００６３】
また、先の２つ実施の形態では、カーテン開閉装置をカーテン１１の上部に設けたが、この例では、カーテン開閉装置をカーテン１１の上下方向の中間位置に設ける。
なお、この第３の実施の形態でも、先の実施の形態と実質的に同じ構成については同じ符号を付してその詳細な説明を省略する。
【００６４】
（第４の実施の形態の特徴的な構成）
図１０及び図１１に示す第４の実施の形態は、長尺体２２の配置に関する変更例を示す。この実施の形態は、前述の各実施の形態に適用できものであり、それらの実施の形態と実質的に同じ構成については同じ符号を付してその詳細な説明を省略する。
【００６５】
（第４の実施の形態の特徴的な構成）
この実施の形態にあっては、長尺体２２がカーテンレール１４内に配置される。この長尺体２２を配置するために、ランナー１５とは別室の空間をカーテンレール１４内に設けることも可能であるが、別室を設けずとも、長尺体２２にワイヤーなど径の比較的小さなものを用いることで、カーテンレール１４内のランナー１５との干渉が抑制することができる。
【００６６】
図示の例では、ランナー１５の上部に長尺体２２の挿通部分１８を設けている。例えば、第１の実施の形態であれば、往路の長尺体２２を挿通部分１８に通して、復路の長尺体２２を挿通部分１８の外側に配置するのが適当であるが、これ以外の配置形態を採ることもできる。連動部２３は、先の例と同様のものを採用することも不可能ではないが、長尺体２２がカーテンレール１４内に配置されているため、ランナー１５のうちカーテンレール１４内に配置された箇所と長尺体２２とを接続する構造とすることが最も合理的である。挿通部分１８を備えたランナー１５を用いる場合には、連動部２３は、挿通部分１８と長尺体２２とを固定するものとして実施することができる。この場合、カーテン１１の先端辺を吊り下げるランナー１５に、長尺体２２を固定するものとして実施することができる。
【００６７】
また、図８及び図９に示した例（連動部２３として、長尺体側部材３３とカーテン側部材３４とを用いる例）を適用することもできる。具体的には、図１１に示すように、カーテン側部材３４の挿通部３５として、上記の挿通部分１８が適用でき、この挿通部分１８よりも大きな長尺体側部材３３を長尺体２２に固定する。この長尺体側部材３３は、長尺体２２の動きに応じて、その両側に配置されたランナー１５の挿通部分１８に当接してランナー１５を移動させるものであり、挿通部分１８は先の例の挿通部３５として機能する。
【００６８】
この第４の実施の形態は、第１又は第２の実施の形態において、外部から長尺体２２を見えなくしてスッキリとした外観デザインとすることができる点で有利である。
また、この第４の実施の形態は、第３の実施の形態にあっても適用できる。具体的には、リール２１をカーテンレール１４の一端付近に配置し、カーテンレール１４内に長尺体２２を通して、カーテンレール１４の他端側などから長尺体２２を垂下させて、人の手の届きやすい高さまで伸ばしておき、さらに必要に応じて長尺体２２の先端に把持部２６を設けるようにして実施すればよい。そして、人が手で長尺体２２の先端を引っ張ることで、長尺体２２が引き出されてカーテン１１を閉じ、カーテン１１を開く際にはリール２１を作動させて長尺体２２を巻き込むことができる。
【００６９】
（その他の変更例）
上述の実施の形態にて示したものの他、本発明は特許請求の範囲内において種々変更して実施することができるものであり、例えば各例において折り返し部２５やリール２１は、吊り下げ式などの少しの動きならば許容できるものである。但し、折り返し部２５やリール２１は、固定側部位１３に全く動かないように固定してしまう方が動作が安定する点で有利である。また、横開きのカーテンを例示したが、縦型のカーテンに適用することもできる。第３の実施の形態においては、カーテンを纏めるためのタッセルを引っかける房掛けのフックに、リール２１を吊り下げるようにし、全閉時には、カーテン側係合部３１を房掛けのフックに引っかけるようにしてもよい。
【符号の説明】
【００７０】
１１  カーテン
１２  開口部
１３  固定側部位
１４  カーテンレール
１５  ランナー
１６  カーテン布
１７  取り付け金具
１８  挿通部分
１９  
２０  ゼンマイバネ
２１  リール
２２  長尺体
２３  連動部
２４  ガイド部
２５  折り返し部
２６  把持部
２７  固定板
２８  押さえ板
２９  折り返し用ローラ
３０  
３１  カーテン側係合部
３２  リール側係合部
３３  長尺体側部材
３４  カーテン側部材
３５  挿通部
３６  接続部
【図１】
0006463164.tif 000002
【図２】
0006463164.tif 000003
【図３】
0006463164.tif 000004
【図４】
0006463164.tif 000005
【図５】
0006463164.tif 000006
【図６】
0006463164.tif 000007
【図７】
0006463164.tif 000008
【図８】
0006463164.tif 000009
【図９】
0006463164.tif 000010
【図１０】
0006463164.tif 000011
【図１１】
0006463164.tif 000012